(57)【要約】      （修正有）【課題】携帯情報端末をかざすだけで、ディスプレイに商品情報サイトの画面を表示して、多くの商品情報を顧客に送信可能なＮＦＣタグ付プロモーションフックを提供する。【解決手段】商品陳列棚の側板を構成するサイドネットに引っ掛けるための掛止部１３に、商品１４を吊り下げる商品フック部１５が連結され、商品フック部１５の基端部に、連結アーム１６を介して、商品１４のＰＯＰ広告を掲げるための掲示部材１７が取り付けられたフック本体１８と、このＰＯＰ広告が表示されて、掲示部材１７に着脱自在に掲示されるＰＯＰカード１９と、ＰＯＰカード１９に設けられて、商品１４の商品情報サイトのアドレスが記憶されたタグ記憶部を有するとともに、顧客がスマートフォン（携帯情報端末）２１をかざした際に、近距離無線通信によってスマートフォン２１を自動起動状態とし、かつインターネット回線を介して、スマートフォン２１を商品情報サイトへのアクセス状態とするＮＦＣタグ２２とを備えた。【選択図】図２
0003214054.tif 000002
【実用新案登録請求の範囲】
【請求項１】
商品を陳列する販売促進助成物に引っ掛けるための掛止部に、連結アームを介して、前記商品のＰＯＰ広告を掲げるための掲示部材が取り付けられたフック本体と、
前記ＰＯＰ広告が表示されて、前記掲示部材に着脱自在に掲示されるＰＯＰカードと、
前記掲示部材または前記ＰＯＰカードに設けられて、前記商品の商品情報サイトのアドレスが記憶されたタグ記憶部を有するとともに、顧客が携帯情報端末をかざした際に、近距離無線通信によって該携帯情報端末を自動起動状態とし、かつインターネット回線を介して、前記携帯情報端末を前記商品情報サイトへのアクセス状態とするＮＦＣタグと、を備えたことを特徴とするＮＦＣタグ付プロモーションフック。
【請求項２】
前記掛止部には、前記商品を吊り下げる商品フック部が連結された請求項１に記載のＮＦＣタグ付プロモーションフック。
【請求項３】
前記掛止部には、前記商品を吊り下げる商品フック部が連結され、
前記連結アームは、その基端部が前記商品フック部に固定または掛止されることで、間接的に前記掛止部に連結されたことを特徴とする請求項１に記載のＮＦＣタグ付プロモーションフック。
【請求項４】
前記連結アームには、該連結アームの長さを変更する伸縮構造部が設けられたことを特徴とする請求項１〜請求項３のうち、何れか１項に記載のＮＦＣタグ付プロモーションフック。
【請求項５】
前記掲示部材または前記ＰＯＰカードには、顧客の近接状態を人感センサが検知し、ＬＥＤを点滅させる人感点滅手段が設けられたことを特徴とする請求項１〜請求項４のうち、何れか１項に記載のＮＦＣタグ付プロモーションフック。
【考案の詳細な説明】
【技術分野】
【０００１】
本考案は、店舗の商品陳列棚などに設置されて、商品の販売促進や商品の陳列を行うためのＮＦＣタグ付プロモーションフックに関する。
【背景技術】
【０００２】
什器に陳列した全ての商品にＩＣチップを取り付け、ＩＣチップの記憶部に産地などの商品情報を記憶させ、この商品情報を例えばスマートフォン（携帯情報端末）のディスプレイに表示させるものとして、例えば、特許文献１に記載された“ストア管理システム及び管理方法”が知られている。
しかしながら、特許文献１のものは、全ての商品にＩＣチップを配していたため、コスト高を招いていた。
【０００３】
そこで、これを解消する従来技術として、例えば、複数の商品を吊り下げ状態で陳列する商品陳列用フックにＩＣチップを取り付けることにより、陳列した商品群の各広告情報を安価に提供でき、かつ顧客の購買意欲を刺激するようにした特許文献２の“ＩＣチップ付きプロモーションフック”が開発されている。
【先行技術文献】
【特許文献】
【０００４】
【特許文献１】特許第３９８８７３６号公報
【特許文献２】実用新案登録第３１２３４０１号公報
【考案の概要】
【考案が解決しようとする課題】
【０００５】
しかしながら、特許文献２（特許文献１も同じ）の従来技術は、顧客がスマートフォンなどの携帯情報端末を手動起動し、ＩＣチップにアクセスしなければ、広告情報をＩＣチップから取得することはできなかった。顧客はこのような作業を面倒と感じるため、いったんは商品に興味を持つものの、商品に対する情報不足によりその場を通り過ぎてしまうことが多々あった。その結果、店舗側は商品の販売機会を逃すことになっていた。
また、ＩＣチップの記憶部に記憶可能な容量は少なく、これにより顧客が必要とする情報を十分に提供することはできなかった。
【０００６】
そこで、考案者は鋭意研究の結果、商品の陳列または商品の販売促進を行うためのＮＦＣ（Ｎｅａｒ  Ｆｉｅｌｄ  Ｃｏｍｍｕｎｉｃａｔｉｏｎ）タグに着目し、これを、例えばハンガーディスプレイや商品陳列棚（什器）のサイドネットに掛止されるプロモーションフックに設ければよいことに想到した。このようにすれば、店舗内でＮＦＣタグ付プロモーションフックに携帯情報端末をかざすだけで、近距離無線通信により携帯情報端末を自動起動させ、インターネット回線を介して、ＮＦＣタグに記憶された商品情報サイトに誘導できるため、上述した課題はすべて解消されることを知見し、この考案を完成させた。
【０００７】
本考案は、このような従来の問題点に鑑みなされたもので、顧客が携帯情報端末をかざすだけでこの端末の自動起動が可能で、これにより顧客が商品購入の動機となるサイト画面をディスプレイに表示し、顧客に対して、従来より多くの商品情報を提供することができるＮＦＣタグ付プロモーションフックを提供することを目的としている。
【課題を解決するための手段】
【０００８】
請求項１に記載の考案は、商品を陳列する販売促進助成物に引っ掛けるための掛止部に、連結アームを介して、前記商品のＰＯＰ広告を掲げるための掲示部材が取り付けられたフック本体と、前記ＰＯＰ広告が表示されて、前記掲示部材に着脱自在に掲示されるＰＯＰカードと、前記掲示部材または前記ＰＯＰカードに設けられて、前記商品の商品情報サイトのアドレスが記憶されたタグ記憶部を有するとともに、顧客が携帯情報端末をかざした際に、近距離無線通信によって該携帯情報端末を自動起動状態とし、かつインターネット回線を介して、前記携帯情報端末を前記商品情報サイトへのアクセス状態とするＮＦＣタグと、を備えたことを特徴とするＮＦＣタグ付プロモーションフックである。
【０００９】
プロモーションフックとは、商品に対する意識や関心を高め、購買を促進するためのフックである。このプロモーションフックは、商品を吊り下げられるように構成したものでも、単に商品のプロモーション（ＰＯＰ広告など）のみを目的としたものでもよい。
商品の種類は、店内で販売可能なものであれば任意である。例えば、化粧品、食物、飲物、衣料品、家電品、調理器具、雑貨品、医薬品、医療品、健康器具、嗜好品、スポーツ用品、文具、書籍、園芸品、工具、ペット用品、家具、寝具などでもよい。
ここでいう販売促進助成物（デジタルクイックポップ）とは、商品を陳列するための陳列用具と、商品の販売促進を行う販売促進用具とを含むものである。具体的には、陳列棚、什器、カウンタ用陳列器、商品吊り下げパネルなどが挙げられる。
【００１０】
陳列棚および什器とは、店舗などで商品を陳列するための棚で、素材、サイズ（棚の段数）、形状などは任意である。
カウンタ用陳列器とは、例えば店舗のキャッシュレジスタに設置された小型の什器で、その素材、サイズ（棚の段数）、形状などは任意である。
商品吊り下げパネルとは、表面に突設されたフックに商品を吊り下げるもので、その素材、サイズ、形状、フックの本数などは任意である。
【００１１】
掛止部は、例えば、販売促進助成物に設けられたネット、または、バーなどに掛止可能であれば、その構造および形状は任意である。
連結アームとしては、例えば、中実または中空の線状体、棒状体などを採用することができる。
ＰＯＰ広告としては、価格（定価、割引価格）、製造会社名などを採用することができる。
掲示部材としては、例えば、カードホルダ、クリップホルダなどの各種のＰＯＰホルダを採用することができる。
【００１２】
フック本体の素材としては、例えば、各種のプラスチック、各種の金属などを採用することができる。
ＰＯＰカードの素材としては、例えば、各種の紙、各種のプラスチック、各種の金属などを採用することができる。
ＰＯＰカードは、シート状のものでも、板状のものでもよい。また、そのサイズも限定されない。
【００１３】
ここでいう携帯情報端末としては、例えば、スマートフォン、タブレットなどの携帯可能な端末を採用することができる。ただし、携帯情報端末はＮＦＣタグを読み取るリーダとライタとの両方を具備したもの、または、リーダのみを搭載したものでなければならない。当然ながら、携帯情報端末は、商品情報サイトの情報を画面表示するディスプレイを有している。
【００１４】
ＮＦＣ（Ｎｅａｒ  Ｆｉｅｌｄ  Ｃｏｍｍｕｎｉｃａｔｉｏｎ）タグとは、数メートル以内の近距離無線通信を行うためのＲＦＩＤ（Ｒａｄｉｏ  ｆｒｅｑｕｅｎｃｙ  ｉｄｅｎｔｉｆｉｃａｔｉｏｎ）である。ＮＦＣタグは、アンテナと、高周波回路を有したＮＦＣ通信部と、ＲＯＭまたはＲＡＭのタグ記憶部と、ＣＰＵを内蔵した制御部と、電源回路の受電部とを有している。
タグ記憶部には、商品の商品情報サイトのアドレスだけでなく、例えば、商品情報、商品に関連したサービス情報、店舗情報などを記憶させてもよい。
商品情報サイトは、インターネット回線に接続された管理サーバ（クラウドサーバを含む）により運営され、そのデータベースにコンテンツが記憶されている。
【００１５】
商品情報サイトの運営者は任意である。例えば、商品のメーカ、メーカと提携した商品の販売会社、商品を店舗販売する各種の店舗（例えば、スーパーマーケット、百貨店、ショッピングモール、個人の店舗など）でもよい。
商品情報としては、例えば、価格（定価など）、商品の成分、商品の特徴、使用方法、製造会社、販売会社などを採用することができる。その他、商品に関連したサービス情報（例えば、メーカや販売会社が主催する商品キャンペーンなどの情報）、商品の口コミ情報（例えば、商品を購入したユーザの使用感、商品のデザインについての感想、価格についての意見など）、商品に関連した店舗情報（例えば、電子ポイントアップデー、バーゲンセールなどの広告）でもよい。
【００１６】
また、請求項２に記載の考案は、前記掛止部には、前記商品を吊り下げる商品フック部が連結された請求項１に記載のＮＦＣタグ付プロモーションフックである。
商品フック部の素材としては、例えば、各種のプラスチック、各種の金属などを採用することができる。商品フック部は、これらの素材からなる中実または中空の棒体（丸棒、角棒など）でもよい。
商品フック部の形状は任意である。例えば、直線状、先端が屈曲した直線状などを採用することができる。
【００１７】
また、請求項３に記載の考案は、前記掛止部には、前記商品を吊り下げる商品フック部が連結され、前記連結アームは、その基端部が前記商品フック部に固定または掛止されることで、間接的に前記掛止部に連結されたことを特徴とする請求項１に記載のＮＦＣタグ付プロモーションフックである。
【００１８】
連結アームの基端部と商品フック部とは分離不能に連結（固定、固着）しても、着脱自在に連結（掛止）してもよい。
後者の場合、連結アームの基端部と、商品フック部との掛止構造は任意である。例えば、これらの何れか一方に掛止凸部を設け、その他方に掛止凹部を設けてもよい。
商品フック部における連結アームの基端部の連結位置は任意である。例えば、商品フック部の長さ方向の中間部でも、その基端部でもよい。
【００１９】
また、請求項４に記載の考案は、前記連結アームには、該連結アームの長さを変更する伸縮構造部が設けられたことを特徴とする請求項１〜請求項３のうち、何れか１項に記載のＮＦＣタグ付プロモーションフックである。
伸縮構造部としては、例えば、サイズが異なる複数の筒体を有したテレスコピック構造体を採用することができる。その他、蛇腹構造体などでもよい。
【００２０】
また、請求項５に記載の考案は、前記掲示部材または前記ＰＯＰカードには、顧客の近接状態を人感センサが検知し、ＬＥＤを点滅させる人感点滅手段が設けられたことを特徴とする請求項１〜請求項４のうち、何れか１項に記載のＮＦＣタグ付プロモーションフックである。
【００２１】
人感点滅センサとは、人間の近接状態を検知する人感センサと、顧客の注目を集めるためのＬＥＤと、この人感センサの検知信号に基づき、ＬＥＤを点滅させるＣＰＵ付の点滅制御回路とを有したものである。
人感点滅センサの電源は任意である。例えば、各種の電池（ボタン電池など）でもよい。
ＬＥＤの点滅間隔は任意である。例えば、０．１〜数秒に１回の間隔（ピッチ）で点滅させてもよい。
【考案の効果】
【００２２】
請求項１に記載の考案によれば、店舗において、顧客が携帯情報端末をプロモーションフックの掲示部材またはＰＯＰカードに取り付けたＮＦＣタグにかざすと、近距離無線通信を介して、携帯情報端末（のＮＦＣタグリーダ）が、タグ記憶部に記憶された情報を読み取り、ＮＦＣタグからの指令に基づき、携帯情報端末が自動的に起動する。しかも、携帯情報端末は、インターネット回線を通して、あらかじめタグ記憶部に記憶された商品情報サイトに自動アクセスし、そのサイト画面をディスプレイに表示する。
これにより、顧客が携帯情報端末をかざすだけでこの端末を自動起動させ、顧客が商品購入の動機となるサイト画面をディスプレイに表示し、顧客に対して、従来より多くの商品情報を提供することができる。
【００２３】
特に、請求項２に記載の考案によれば、掛止部に商品フック部を設けたため、プロモーションフックに、商品に対する意識や関心を高め、購買を促進するプロモーションの機能だけでなく、商品を吊り下げて陳列する機能を付与することができる。
【００２４】
また、請求項３に記載の考案によれば、連結アームを商品フック部に固定または掛止することで、連結アームが間接的に掛止部に連結される。これにより、掛止部には、商品フック部を連結するスペースのみを確保することで、連結アームと商品フック部との両方を掛止部に取り付けることができる。
【００２５】
さらに、請求項４に記載の考案によれば、伸縮構造部によって連結アームの長さを変更できるように構成したため、例えば、店舗のディスプレイデザイナーなどの好みに合わせ、販売促進助成物に陳列した商品と重ならないように、掲示部材に掲示されたＰＯＰカードを前後方向へ移動させることができる。
【００２６】
請求項５に記載の考案によれば、顧客が販売促進助成物に掛止したＮＦＣタグ付プロモーションフックに近づくことで、人感点滅センサが顧客を検知し、ＬＥＤを点滅させる。これにより、掲示部材に掲示されたＰＯＰカードの広告に顧客の視線を集めることができる。また、掲示部材またはＰＯＰカードに、ＮＦＣタグ付きとの表示を行うことで、より多くの顧客を商品情報サイトに誘導することができる。
【図面の簡単な説明】
【００２７】
【図１】この考案の実施例１に係るＮＦＣタグ付プロモーションフックが掛止された商品陳列棚の斜視図である。
【図２】この考案の実施例１に係るＮＦＣタグ付プロモーションフックの斜視図である。
【図３】この考案の実施例１に係るＮＦＣタグ付プロモーションフックの一部を構成するＮＦＣタグの電気系統のブロック図である。
【図４】この考案の実施例２に係るＮＦＣタグ付プロモーションフックの斜視図である。
【図５】この考案の実施例２に係るＮＦＣタグ付プロモーションフックの掲示部材の首振り状態を示す要部拡大側面図である。
【図６】この考案の実施例２に係るＮＦＣタグ付プロモーションフックの要部拡大斜視図である。
【図７】この考案の実施例２に係るＮＦＣタグ付プロモーションフックの要部分解斜視図である。
【図８】この考案の実施例３に係るＮＦＣタグ付プロモーションフックの斜視図である。
【図９】この考案の実施例３に係るＮＦＣタグ付プロモーションフックの角バーへの掛止状態を示す要部拡大斜視図である。
【図１０】この考案の実施例４に係るＮＦＣタグ付プロモーションフックの斜視図である。
【図１１】この考案の実施例５に係るＮＦＣタグ付プロモーションフックが掛止されたハンガーディスプレイの斜視図である。
【図１２】この考案の実施例５に係る別のＮＦＣタグ付プロモーションフックが掛止されたハンガーディスプレイの斜視図である。
【図１３】この考案の実施例６に係るＮＦＣタグ付プロモーションフックの斜視図である。
【図１４】この考案の実施例６に係るＮＦＣタグ付プロモーションフックの角バーへの掛止状態を示す要部拡大斜視図である。
【考案を実施するための形態】
【００２８】
以下、この考案の実施例を具体的に説明する。
【実施例】
【００２９】
図１〜図３において、１０はこの考案の実施例１に係るＮＦＣタグ付プロモーションフックで、このＮＦＣタグ付プロモーションフック１０は、商品陳列棚１１の側板を構成するサイドネット１２に引っ掛けるための掛止部１３に、商品１４を吊り下げる商品フック部１５が連結され、商品フック部１５の基端部に、連結アーム１６を介して、商品１４のＰＯＰ広告を掲げるための掲示部材１７が取り付けられたフック本体１８と、このＰＯＰ広告が表示されて、掲示部材１７に着脱自在に掲示されるＰＯＰカード１９と、ＰＯＰカード１９に設けられて、商品１４の商品情報サイトのアドレスが記憶されたタグ記憶部２０を有するとともに、顧客がスマートフォン（携帯情報端末）２１をかざした際に、近距離無線通信によってスマートフォン２１を自動起動状態とし、かつインターネット回線を介して、スマートフォン２１を商品情報サイト（Ｗｅｂサイト）へのアクセス状態とするＮＦＣタグ２２とを備えたものである。
【００３０】
以下、これらの構成体を具体的に説明する。
ＮＦＣタグ付プロモーションフック１０とは、ＮＦＣ（Ｎｅａｒ  Ｆｉｅｌｄ  Ｃｏｍｍｕｎｉｃａｔｉｏｎ）タグ２２が取り付けられた販売促進助成物である。
ＮＦＣタグ付プロモーションフック１０は、逆Ｊ字状に屈曲した板状の掛止部１３を有している。上端部の湾曲部分を、サイドネット１２に引っ掛ける。掛止部１３の表面の中央部付近には、長尺なステンレス棒からなる商品フック部１５の基端部が固定されている。
【００３１】
商品フック部１５の先端部（前端部）は、商品１４の脱落を防ぐため、斜め上方へ屈曲している。また、商品フック部１５の基端部付近の上部には、商品フック部１５より細いステンレス棒を屈曲させた連結アーム１６の基端部が分離不能に連結されている。連結アーム１６は、その短尺な基端部が上方へ延びた後、前方へ長い平面視してカギ括弧状に屈曲し、その後、上方へ向かって短尺に屈曲したものである。連結アーム１６は、商品フック部１５を介して、間接的に掛止部１３に連結されている。
【００３２】
掲示部材１７は、下枠部が前方へ向かって上方傾斜した上向きコの字状の外枠２３と、外枠２３に嵌入された肉厚で透明なプラスチック板２４とを有したカードホルダである。プラスチック板２４の上面の厚さ方向の中間部から板全体には、左右方向へ長いスリット２５が形成されている。スリット２５には、横長矩形状のＰＯＰカード１９が抜き差し自在に挿入されている。なお、ＰＯＰカード１９を、プラスチック板２４の前面に掛止してもよい。ＰＯＰカード１９は、その表面が、商品１４の価格等を印刷した広告表示面となっている。ＰＯＰカード１９の上辺の中央部には、円弧状の隆起部１９ａが一体形成されている。この隆起部１９ａの裏面にＮＦＣタグ２２が貼着されている。
【００３３】
ＮＦＣタグ２２は、ＩＳＯ／ＩＥＣ１８０９２で標準化された周波数１３．５６ＭＨｚの近距離無線通信方式のＲＦＩＤ（Ｒａｄｉｏ  ｆｒｅｑｕｅｎｃｙ  ｉｄｅｎｔｉｆｉｃａｔｉｏｎ）タグである。ＮＦＣタグ２２は、パッシブ型無線タグと同様に、ＮＦＣタグ２２のリーダ／ライタを有したスマートフォン２１から非接触で供給された電力により動作する。
【００３４】
図３のブロック図に示すように、ＮＦＣタグ２２は、合成樹脂からなる円形のベースシートＳの面に、渦巻状のアンテナａと、ＮＦＣ通信部２６と、タグ記憶部２０と、制御部２７と、受電部２８とを有している。
ＮＦＣ通信部（高周波回路）２６は、近傍（例えば数ｍ）にかざされたスマートフォン２１との近距離無線通信を実行する手段である。
タグ記憶部２０は、クラウドサーバが運営する商品１４の商品情報サイトのアドレスを記憶する手段である。
制御部２７は、ＣＰＵを内蔵して、ＮＦＣタグ２２の全体を制御する手段である。
受電部２８は、電源回路を有して、ＮＦＣ通信部２６を通してスマートフォン２１からの電力を非接触で受電する手段である。
【００３５】
スマートフォン２１は、携帯情報端末の一種で、表示部としてのディスプレイ２９と、ＮＦＣタグ２２のリーダ・ライタとを有している。
クラウドサーバは、インターネット回線に接続され、かつ商品１４のメーカが運営するクラウド上のサーバである。なお、クラウドサーバは、メーカではなく店舗が運営してもよい。クラウドサーバのデータベース（記憶部）に、商品情報サイト（Ｗｅｂサイト）のコンテンツが記憶されている。
商品１４の情報としては、成分表、商品特徴、使用方法、製造会社、販売会社、商品１４に関連したサービス情報などを採用することができる。
【００３６】
次に、図１〜図３を参照して、本考案のＮＦＣタグ付プロモーションフック１０の使用方法を説明する。
図１および図２に示すように、店舗内において、商品陳列棚１１の前で、顧客が特定の商品１４に興味を感じたとき、スマートフォン２１をＮＦＣタグ付プロモーションフック１０のＰＯＰカード１９にかざす。これにより、スマートフォン２１から近距離無線発信を通して発信された電力が、アンテナａからＮＦＣ通信部２６を通して受電部２８が受電し、ＮＦＣタグ２２が作動する。なお、顧客がスマートフォン２１をＮＦＣタグ２２にかざした時、スマートフォン２１に電子ポイントを付与してもよい。
【００３７】
すなわち、タグ記憶部２０に記憶された商品１４の商品情報サイトのアドレスがスマートフォン２１へ送信され、これに基づき、スマートフォン２１が商品情報サイトに自動アクセスし、そのサイトページをディスプレイ２９に表示する。顧客は、商品情報サイトから商品１４についての所望の情報、その他、キャンペーン情報、イベント情報、口コミ情報などを入手する。
このとき、顧客のスマートフォン２１と商品情報サイト（サーバ）との間で、様々な事柄について双方向の情報交換を行ってもよい。例えば、入手したキャンペーン情報に対してのキャンペーンへの応募およびその受付管理、イベント情報に対しての顧客の質問およびその解答（オペレータ対応を含む）、口コミ情報に対しての顧客の評価、その評価へのポイント付与などである。
【００３８】
このように、ＮＦＣタグ付プロモーションフック１０は、顧客がスマートフォン２１をかざすだけでこの端末を自動起動させ、顧客が商品１４の購入の動機となるサイト画面をディスプレイ２９に表示し、顧客に対して、従来より多くの商品１４情報を店舗内でリアルタイムに提供することができる。
また、掛止部１３に商品フック部１５を設けたため、ＮＦＣタグ付プロモーションフック１０に、商品１４に対する意識や関心を高め、購買を促進するプロモーションの機能だけでなく、商品１４を吊り下げて陳列する機能を付与することができる。
さらに、連結アーム１６を商品フック部１５に固定することで、連結アーム１６が間接的に掛止部１３に連結される。これにより、掛止部１３には、商品フック部１５を連結するスペースのみを確保することで、連結アーム１６と商品フック部１５との両方を掛止部１３に取り付けることができる。
【００３９】
次に、図４〜図７を参照して、本考案の実施例２に係るＮＦＣタグ付プロモーションフックを説明する。
図４に示すように、本考案の実施例２に係るＮＦＣタグ付プロモーションフック１０Ａの特徴は、フック本体１８Ａの連結アーム１６Ａが、クリップ３０を介して商品フック部１５に掛止されることにより、間接的に掛止部１３に連結された点である。
図４および図５に示すように、連結アーム１６Ａは、横向きＬ字状をしたプラスチック製の太い丸棒で、その下向きの基端部には、商品フック部１５の基端部を左右方向から把持するプラスチック製のクリップ３０が一体形成されている。商品フック部１５の基端部が固定される掛止部１３は、下向きコの字状に屈曲した金属板からなる。掛止部１３の前板１３ａの略中央部に商品フック部１５の基端が固着されている。また、連結アーム１６Ａの先端部には、水平方向に延びる短尺な回動ピン３１を介して、掲示部材１７Ａの裏面の中央部から突出した舌片３２が軸支されている。これにより、掲示部材１７Ａは前後方向へ首振り自在に構成されている。
【００４０】
図６および図７に示すように、この掲示部材１７Ａは、横長な矩形状のプラスチック製のカード掲示板３３を有している。カード掲示板３３の表面には、その下縁および左右の縁に複数のカード掛止突起３４が配されている。各カード掛止突起３４を介して、上部に商品１４の価格、下部にバーコードがそれぞれ印刷された横長な矩形状の第１のＰＯＰカード１９Ａと、その裏側に重ねられる縦長な矩形状の第２のＰＯＰカード１９Ｂとが掛止される。カード掲示板３３の上端部の左右の幅方向の中間部付近には、第１のＰＯＰカード１９Ａの抜き差しが容易なように、円弧状の凹部３３ａが形成されている。また、カード掲示板３３の一側には、短冊状をした延長部３３ｂが、カード掲示板３３と同一素材で一体形成されている。この延長部３３ｂの表面にも、比較的大きくて見やすいＮＦＣタグ２２の表示がなされている。
また、第２のＰＯＰカード１９Ｂの上辺の中央部には、円弧状の隆起部１９ａが一体形成されている。この隆起部１９ａ分の表面にはＮＦＣタグ２２の表示が印刷され、また隆起部１９ａ分の裏面にはＮＦＣタグ２２が貼着されている。
【００４１】
このように、クリップ３０を介して、連結アーム１６Ａを商品フック部１５に着脱自在としたため、既存の商品フックを、ワンタッチで本考案のＮＦＣタグ付プロモーションフック１０Ａとすることができる。
また、連結アーム１６Ａの先端部に、回動ピン３１を介して、掲示部材（カード掲示板３３）１７Ａを前後方向へ首振り自在に構成したため、商品陳列棚１１に掛止されたＮＦＣタグ付プロモーションフック１０Ａの高さに応じて、顧客が見やすい角度に第１のＰＯＰカード１９Ａおよび第２のＰＯＰカード１９Ｂの向きを調整することができる。
その他の構成、作用および効果は、実施例１と略同じであるため、説明を省略する。
【００４２】
次に、図８および図９を参照して、本考案の実施例３に係るＮＦＣタグ付プロモーションフック１０Ｂを説明する。
図８に示すように、本考案の実施例３に係るＮＦＣタグ付プロモーションフック１０Ｂの特徴は、フック本体１８Ｂの連結アーム１６Ｂと商品フック部１５とを、１本の細長いステンレス製の丸棒を屈曲して形成するとともに、掲示部材１７Ｂに、顧客の接近を人感センサ３５ａにより検知したとき、顧客の注意を引くためのＬＥＤ３４を点滅させる人感点滅手段３５を設けた点である。
【００４３】
連結アーム１６Ｂは横向きＬ字状の丸棒で、連結アーム１６Ｂより長尺な細長い商品フック部１５の基端に一体的に連結されている。掛止部１３Ａの表面には、この連結アーム１６Ｂの下方へ屈曲した基端部が分離不能に固定されている。また、掛止部１３Ａは、この連結アーム１６Ｂが固定された前板１３ａと、前板１３ａと平行でこれより短尺な背板１３ｂと、前板１３ａと背板１３ｂとの上端同士を連結する上板１３ｃとからなる逆Ｊの字を構成するものである。１本の丸棒により連結アーム１６Ｂと商品フック部１５とを一体形成したため、ＮＦＣタグ付プロモーションフック１０Ｂの製造が容易となり、低コスト化が図れる。
【００４４】
また、掲示部材１７Ｂは、第１のＰＯＰカード１９Ａが着脱自在に掛止される横長な矩形状のカード掲示板３３Ａを有している。カード掲示板３３Ａの一側に突出し、表面にＮＦＣタグ２２付きと表示された延長部３３ｂの裏面には、ＮＦＣタグ２２が固定されている。
さらに、この延長部３３ｂの上部の裏面には、人感センサ３５ａに赤外線、超音波、可視光などを利用した人感点滅手段３５が取り付けられている。ＬＥＤ３４は、延長部３３ｂの上端部の表面から露出している。図示しないものの人感点滅手段３５は、ＬＥＤ３４用のボタン電池を有している。
【００４５】
顧客が商品陳列棚１１に掛止したＮＦＣタグ付プロモーションフック１０Ｂに近づくことで、人感点滅センサが顧客を検知し、人感点滅手段３５の制御部がＬＥＤ３４を点滅させる。これにより、カード掲示板３３Ａに掲示された第１のＰＯＰカード１９Ａの広告に顧客の視線を集めることができる。
なお、実施例３のＮＦＣタグ付プロモーションフック１０Ｂは、図９に示すように、掛止部１３Ａを介して、商品陳列棚１１の角バー３６にも掛止することができる。
その他の構成、作用および効果は、実施例１および実施例２から推測可能な範囲であるため、説明を省略する。
【００４６】
次に、図１０を参照して、本考案の実施例４に係るＮＦＣタグ付プロモーションフックを説明する。
図１０に示すように、本考案の実施例４に係るＮＦＣタグ付プロモーションフック１０Ｃの特徴は、実施例３の掲示部材１７Ｂに代えて、既存のカードホルダ３７が連結アーム１６Ｂの先端部に固定され、このカードホルダ３７のポケット３７ａに、ＮＦＣタグ２２と人感点滅手段３５とが配されたＰＯＰカード１９Ｃを抜き差し自在に取り付けた点である。これにより、既存のプロモーションフックを、容易に本考案のＮＦＣタグ付プロモーションフック１０Ｃとすることができる。
その他の構成、作用および効果は、実施例３と略同じであるため、説明を省略する。
【００４７】
次に、図１１を参照して、本考案の実施例５に係るＮＦＣタグ付プロモーションフックを説明する。
図１１に示すように、本考案の実施例５に係るＮＦＣタグ付プロモーションフック１０Ｄの特徴は、大判の縦長な厚紙製で、かつ上端部に吊り紐３８が付いたハンガーディスプレイ３９に、ＮＦＣタグ付プロモーションフック１０Ｄを、縦横各４つずつ、合計１６個配列させた点である。
ＮＦＣタグ付プロモーションフック１０Ｄの連結部１３Ｂは、ハンガーディスプレイ３９に固着されている。連結アーム１６Ｃは、下向きＬ字状の細長いステンレス棒で、その基端部が商品フック部１５の基端部付近に分離不能に連結されている。また、連結アーム１６Ｃの先端には、横長な矩形状のプラスチック製のカード掲示板３３Ａが固着されている。
【００４８】
また、図１２に示すように、別のハンガーディスプレイ３９Ａ用のＮＦＣタグ付プロモーションフック１０Ｅとして、例えば、ハンガーディスプレイ３９Ａに複数穿たれた矩形状の掛止穴３９ａに掛止可能な掛止部１３Ｃを有したものなどを採用することができる。
具体的には、下底より上底の方が長い台形状の前板片１３ｄと、前板片１３ｄの上縁部の裏面に各基端部が一体形成され、かつ上方へ直角に屈曲した左右一対のボード掛止フック１３ｅとを有した掛止部１３Ｃである。使用時には、２本のボード掛止フック１３ｅを掛止穴３９ａに挿入し、それぞれを掛止穴３９ａの上端形成部の裏側に引っ掛けて使用する。
このように、ハンガーディスプレイ３９、３９Ａを利用することで、商品陳列棚１１が設置できない場所にも、本考案のＮＦＣタグ付プロモーションフック１０Ｄ，１０Ｅを利用して商品１４を陳列することができる。
その他の構成、作用および効果は、実施例６と略同じであるため、説明を省略する。
【００４９】
次に、図１３および図１４を参照して、本考案の実施例６に係るＮＦＣタグ付プロモーションフックを説明する。
図１３に示すように、本考案の実施例６に係るＮＦＣタグ付プロモーションフック１０Ｆの特徴は、商品フック部１５を省略し、連結アーム１６Ｄに、その長さを変更するための伸縮構造部４０を設けた点である。
具体的には、大小２本の角筒４１，４２を有したテレスコピック方式の伸縮構造部４０を、掛止部１３Ａの前板１３ａの中央部に固定し、小さい角筒４２の先端にカード掲示板３３Ａを固定したものである。このＮＦＣタグ付プロモーションフック１０Ｆは、掛止部１３Ａを介して、商品陳列棚１１のサイドネット１２だけでなく、商品陳列棚１１の角バー３６にも掛止することができる（図１４を参照）。
【００５０】
このように、伸縮構造部４０によって連結アーム１６Ｄの長さを変更可能としたため、例えば、店舗のディスプレイデザイナーなどの好みに合わせ、陳列した商品１４と重ならないように、掲示部材１７Ｂに掲示された第１のＰＯＰカード１９Ａを前後方向へ移動させることができる。
その他の構成、作用および効果は、実施例３と略同じであるため、説明を省略する。
【産業上の利用可能性】
【００５１】
本考案のＮＦＣタグ付プロモーションフックは、店舗の商品陳列棚などに設置されて、商品の販売促進を行うものとして有用な技術である。
【符号の説明】
【００５２】
１０，１０Ａ〜１０Ｆ  ＮＦＣタグ付プロモーションフック
１３，１３Ａ〜１３Ｃ  掛止部
１４  商品
１５  商品フック部
１６，１６Ａ〜１６Ｃ  連結アーム
１７，１７Ａ，１７Ｂ  掲示部材
１８，１８Ａ，１８Ｂ  フック本体
１９  ＰＯＰカード
１９Ａ  第１のＰＯＰカード（ＰＯＰカード）
１９Ｂ  第２のＰＯＰカード（ＰＯＰカード）
２０  タグ記憶部
２１  スマートフォン（携帯情報端末）
２２  ＮＦＣタグ
３４  ＬＥＤ
３５  人感点滅手段
３５ａ  人感センサ
４０  伸縮構造部
【図１】
0003214054.tif 000003
【図２】
0003214054.tif 000004
【図３】
0003214054.tif 000005
【図４】
0003214054.tif 000006
【図５】
0003214054.tif 000007
【図６】
0003214054.tif 000008
【図７】
0003214054.tif 000009
【図８】
0003214054.tif 000010
【図９】
0003214054.tif 000011
【図１０】
0003214054.tif 000012
【図１１】
0003214054.tif 000013
【図１２】
0003214054.tif 000014
【図１３】
0003214054.tif 000015
【図１４】
0003214054.tif 000016